(57)【要約】【課題】音声報知機能を有する誘導加熱式炊飯器において、スピーカを加熱コイル近傍に配置しても音声出力手段が壊れないようにし、安全で、コンパクトで、省エネルギを実現できるようにする。【解決手段】インバータ回路２より高周波電流を供給される加熱コイル１により鍋を誘導加熱し、インバータ回路２を制御手段９により制御し、制御手段９の出力を受けて音声出力手段１１より音声信号をスピーカ１０に出力する。加熱コイル１に高周波電流が流れているとき、スピーカ１０と音声出力手段１１の信号経路にスピーカ１０に発生する誘導起電圧を低減する誘導起電圧保護手段を構成する抵抗２１を有し、制御手段９は音声を出力しないときは音声出力手段１１の電源供給を停止するよう構成する。【選択図】図１
2007325812.tif 000002
【特許請求の範囲】
【請求項１】
鍋を誘導加熱する加熱コイルと、前記加熱コイルに高周波電流を供給するインバータ回路と、前記インバータ回路を制御する制御手段と、スピーカと、前記制御手段の出力を受けて音声信号を前記スピーカに出力する音声出力手段とを備え、前記加熱コイルに高周波電流が流れているとき、前記スピーカと前記音声出力手段の信号経路に前記スピーカに発生する誘導起電圧を低減する誘導起電圧保護手段を有し、前記制御手段は音声を出力しないときは前記音声出力手段の電源供給を停止するよう構成した誘導加熱式炊飯器。
【請求項２】
誘導起電圧保護手段は、スピーカと音声出力手段の信号経路とグランド電位間に接続した抵抗で構成した請求項１記載の誘導加熱式炊飯器。
【請求項３】
誘導起電圧保護手段は、スピーカと音声出力手段の信号経路と、前記音声出力手段の電源の高電位間に逆バイアスされるように接続した第１のダイオードで構成した請求項１記載の誘導加熱式炊飯器。
【請求項４】
誘導起電圧保護手段は、スピーカと音声出力手段の信号経路と、グランド電位間に逆バイアスされるように接続した第２のダイオードで構成した請求項１記載の誘導加熱式炊飯器。
【請求項５】
音声出力手段は、予め記憶した音声データを信号として出力する音声記憶回路と、前記音声記憶回路の信号の所定以上の高周波成分と所定以下の低周波成分を減衰させるフィルタ回路と、前記フィルタ回路の出力信号を増幅する増幅回路とを有し、音声を出力しないときは少なくとも前記増幅回路への電源供給を停止するようにした請求項１〜４のいずれか１項に記載の誘導加熱式炊飯器。
【請求項６】
増幅回路は第１の増幅回路と第２の増幅回路とで構成し、スピーカは一方の端子を前記第１の増幅回路の出力に接続し、他方の端子を前記第２の増幅回路の出力に接続し、前記第１の増幅回路の出力信号と前記第２の増幅回路の出力信号は互い反転するようにした請求項５記載の誘導加熱式炊飯器。
【請求項７】
増幅回路の増幅率は１以下である請求項５または６記載の誘導加熱式炊飯器。
【請求項８】
音声出力手段は周波数特性が異なる複数のフィルタ回路を有し、使用者が入力した設定に基づいて任意のフィルタ回路を設定するようにした請求項５〜７のいずれか１項に記載の誘導加熱式炊飯器。
【請求項９】
制御手段と音声出力手段との通信はインバータ回路の動作停止時に行うようにした請求項１〜８のいずれか１項に記載の誘導加熱式炊飯器。
【発明の詳細な説明】
【技術分野】
【０００１】
本発明は、音声報知機能を有する誘導加熱式炊飯器に関するものである。
【背景技術】
【０００２】
従来、音声報知機能を有する炊飯器では、音声合成装置を含めた音声出力部に特定の期間のみ電力を供給することで、消費電力を低減し、スピーカノイズを防止しているものがある（例えば、特許文献１参照）。
【特許文献１】特開昭５９−４８２８号公報
【発明の開示】
【発明が解決しようとする課題】
【０００３】
しかしながら、上記従来の構成で、誘導加熱式炊飯器を実現しようとすると、加熱コイルに高周波電流が流れているときにスピーカの巻線に加熱コイルからの高周波磁界が伝播し、スピーカの巻線に誘導起電圧が発生し、音声出力手段の電源がオフのときに、この誘導起電圧が音声出力手段の最大電圧定格を超え、音声出力手段を破壊するという問題があった。なお、音声出力手段の電源がオンしているときは、音声出力手段の出力端子は電源の中間電位になったり、ハイまたはローに固定されているので、誘導起電圧がスピーカの巻線に発生しても、音声出力手段の最大電圧定格を越えることはないので、スピーカの誘導起電圧で音声出力手段が壊れないようにするには音声出力手段の電源をオンし続ける必要があった。この場合、音声を出力しないときでも電力を消費することになり、省電力化できないという問題と、加熱コイルに高周波電流が流れたときに発生する高周波磁界により、スピーカからノイズ音が発生するという問題を有することになる。
【０００４】
また、スピーカの巻線に発生する誘導起電圧を小さくするために、スピーカを加熱コイルから十分に離す必要があるので、配置する空間に余裕がある加熱コイル近傍にスピーカを配置することができなくなり、機器の小型化が難しいという問題があった。
【０００５】
本発明は上記従来の課題を解決するもので、スピーカを加熱コイル近傍に配置しても音声出力手段が壊れないようにし、安全で、コンパクトで、省エネルギを実現できるようにすることを目的としている。
【課題を解決するための手段】
【０００６】
本発明は上記目的を達成するために、インバータ回路より高周波電流を供給される加熱コイルにより鍋を誘導加熱し、インバータ回路を制御手段により制御し、制御手段の出力を受けて音声出力手段より音声信号をスピーカに出力するよう構成し、加熱コイルに高周波電流が流れているとき、スピーカと音声出力手段の信号経路にスピーカに発生する誘導起電圧を低減する誘導起電圧保護手段を有し、制御手段は音声を出力しないときは音声出力手段の電源供給を停止するよう構成したものである。
【０００７】
これにより、スピーカの巻線に発生する誘導起電圧を誘導起電圧保護手段により小さくすることができ、音声出力手段の電源がオフ時にも誘導起電圧が音声出力手段の最大電圧定格を超えなくなり、安全で、コンパクトで、省エネルギを実現でき、かつ操作などのわかりやすい炊飯器を提供できる。
【発明の効果】
【０００８】
本発明の誘導加熱式炊飯器は、音声出力手段の電源供給を停止したときに、加熱コイルの磁界によりスピーカに誘導起電圧が発生しても、音声出力手段の破壊を防ぐことができる。
【発明を実施するための最良の形態】
【０００９】
第１の発明は、鍋を誘導加熱する加熱コイルと、前記加熱コイルに高周波電流を供給するインバータ回路と、前記インバータ回路を制御する制御手段と、スピーカと、前記制御手段の出力を受けて音声信号を前記スピーカに出力する音声出力手段とを備え、前記加熱コイルに高周波電流が流れているとき、前記スピーカと前記音声出力手段の信号経路に前記スピーカに発生する誘導起電圧を低減する誘導起電圧保護手段を有し、前記制御手段は音声を出力しないときは前記音声出力手段の電源供給を停止するよう構成したものであり、スピーカの巻線に発生する誘導起電圧を誘導起電圧保護手段により小さくすることができ、音声出力手段の電源がオフのときにも誘導起電圧が音声出力手段の出力端子の最大電圧定格をこえることや、この出力端子に設けられた保護ダイオードを通して音声出力手段に電流が流れ込むことがなくなり、音声出力手段が破壊するのを防止することができる。また、音声を出力しないときは音声出力手段の電源をオフしているので、加熱コイルに高周波電流が流れ高周波磁界が発生したときでも、この高周波磁界によるノイズ波形が音声出力手段に重畳し、スピーカからノイズ音が発生することがない。したがって、安全で、コンパクトで、省エネルギを実現でき、かつ操作などのわかりやすい炊飯器を提供できる。
【００１０】
第２の発明は、上記第１の発明において、誘導起電圧保護手段は、スピーカと音声出力手段の信号経路とグランド電位間に接続した抵抗で構成したものであり、スピーカの巻線に発生する誘導起電圧を抵抗で消費させることができてスピーカの誘導起電圧を低減することができる。さらに、この誘導起電圧を低減させるためにスピーカの巻線と抵抗に電流が流れることになるが、この電流も抵抗で制限できるので、スピーカの巻線の発熱も抑えることができる。したがって、スピーカの発熱も小さく、抵抗という安価な部品で誘導起電圧を低減できるので、低コストで信頼性の高いコンパクトな炊飯器を提供できる。
【００１１】
第３の発明は、上記第１の発明において、誘導起電圧保護手段は、スピーカと音声出力手段の信号経路と、前記音声出力手段の電源の高電位間に逆バイアスされるように接続した第１のダイオードで構成したものであり、音声出力手段の電源がオフのときでも、音声出力手段の出力端子に印加される電圧が第１のダイオードの順電圧以上になると、第１のダイオードがオンして音声出力手段に印加される誘導起電圧をクランプするので、音声出力手段の出力端子の最大電圧定格を超えることや、この出力端子に設けられた保護ダイオードへの電流の流れ込みを抑えることとなり、破壊のない安全な誘導加熱式炊飯器を提供できる。また、音声出力手段が音声を出力するときは、第１のダイオードは逆バイアスされているので、消費電流の増加がなくなり、省電力化を実現できる。
【００１２】
第４の発明は、上記第３の発明において、誘導起電圧保護手段は、スピーカと音声出力手段の信号経路と、グランド電位間に逆バイアスされるように接続した第２のダイオードで構成したものであり、スピーカの巻線にマイナスの誘導起電圧が発生しても、第２のダイオードの順電圧で、第２のダイオードがスピーカの巻線の誘導起電圧をクランプするので、音声出力手段の出力端子の最大電圧定格を超えることや、この出力端子に設けられた保護ダイオードへの電流の流れ込みを抑えることとなり、破壊のない安全な誘導加熱式炊飯器を提供できる。また、音声出力手段が音声を出力するときは、第２のダイオードは逆バイアスされるので、消費電流の増加がなくなり、省電力化を実現できる。
【００１３】
第５の発明は、上記第１〜４のいずれか１つの発明において、音声出力手段は、予め記憶した音声データを信号として出力する音声記憶回路と、前記音声記憶回路の信号の所定以上の高周波成分と所定以下の低周波成分を減衰させるフィルタ回路と、前記フィルタ回路の出力信号を増幅する増幅回路とを有し、音声を出力しないときは少なくとも前記増幅回路への電源供給を停止するようにしたものであり、スピーカに入力する電力を大きくすることができるので、音量を大きくすることができ、耳の悪い使用者や調理中の騒音の中でも、音声を聞き取ることができる。また、音声を出力しないときは、増幅回路の電源供給を停止するので、増幅回路の入力部分に加熱コイルから発生する高周波磁界がノイズとなって重畳しても、スピーカからノイズ音となって出力されることがない。また、音声を出力しないときには増幅回路の電源をオフするので、省電力化を実現することができる。
【００１４】
第６の発明は、上記第１〜４のいずれか１つの発明において、増幅回路は第１の増幅回路と第２の増幅回路とで構成し、スピーカは一方の端子を前記第１の増幅回路の出力に接続し、他方の端子を前記第２の増幅回路の出力に接続し、前記第１の増幅回路の出力信号と前記第２の増幅回路の出力信号は互い反転するようにしたものであり、第１の増幅回路と第２の増幅回路の電源電圧と殆ど同じ電圧をスピーカに印加できるので、電源電圧を低くしても十分な音量を確保できることとなり、耳の悪い使用者や調理中の騒音の中でも、音声を聞き取ることができる。また、増幅回路の電源電圧を低くすることで、音声記憶回路の電源電圧と増幅回路の電源電圧を同一電源にすることも可能になり、音声を出力しないときは音声記憶回路と増幅回路の電源をオフできるので、省エネを実現できる。
【００１５】
第７の発明は、上記第５または第６の発明において、増幅回路の増幅率は１以下であるものであり、音声出力中もしくは次の音声が出力されるまでの無音期間中にノイズ音が重畳しても、このノイズ音を低減することができる。
【００１６】
第８の発明は、上記第５〜７のいずれか１つの発明において、音声出力手段は周波数特性が異なる複数のフィルタ回路を有し、使用者が入力した設定に基づいて任意のフィルタ回路を設定するようにしたものであり、使用者の好みの音質で音声を出力することができる。
【００１７】
第９の発明は、上記第１〜８のいずれか１つの発明において、制御手段と音声出力手段との通信はインバータ回路の動作停止時に行うようにしたものであり、インバータ回路動作時の高周波磁界の影響で通信が乱れ、音声が出力しないといった不良を防ぐことができるので、高信頼性の炊飯器を提供できる。
【００１８】
以下、本発明の実施の形態について、図面を参照しながら説明する。なお、この実施の形態によって本発明が限定されるものではない。
【００１９】
（実施の形態１）
図１は、本発明の実施の形態１における誘導加熱式炊飯器の一部ブロック化した要部回路図を示し、図２は、同誘導加熱式炊飯器の断面図を示すものである。なお、図面を簡潔にするために、電気的接続のためのリード線や、部品を固定するためのネジは省略している。
【００２０】
図１に示すように、加熱コイル１は鍋３５（図２参照）を誘導加熱するもので、線径の小さい銅線を束ねたリッツ線で構成している。インバータ回路２は、加熱コイル１に高周波電流を供給すもので、図示しないがＩＧＢＴからなる半導体スイッチング素子と、この半導体スイッチング素子に逆接続したダイオードと、加熱コイル１と共振回路を構成する共振用コンデンサとで構成しており、半導体スイッチング素子が高周波でスイッチングすることで高周波電流を加熱コイルに供給している。ダイオードブリッジ３とチョークコイル４とコンデンサ５は商用電源６を整流し、インバータ回路２に電力を供給している。
【００２１】
入力手段７は、複数のモーメンタリスイッチで構成しており、使用者が炊飯方法や炊飯の開始または停止などを選択することができる。表示手段８は、液晶ディスプレイやＬＥＤで構成しており、使用者が設定した内容や、炊飯中、予約中などの炊飯器の状態、炊飯の経過時間を表示する。
【００２２】
制御手段９は、マイクロコンピュータや半導体スイッチング素子を駆動するＩＣなどで構成しており、インバータ回路２のオンオフ制御や、入力手段７を構成するスイッチの入力信号を受けて、ＬＣＤに設定した内容を表示したり、炊飯シーケンス、保温シーケンスを動作させたりする。
【００２３】
スピーカ１０は、巻線と磁石を用いて、巻線に流れる電流と磁石の磁界でコイルを振動させるタイプを用いている。なお、本実施の形態では、スピーカ１０に流す電流を小さくするために、スピーカ１０のインピーダンスを８Ωより大きくしている。なお、スピーカ１０は入力端子のうちの一つをグランド電位に接続している。
【００２４】
音声出力手段１１は、音声データを４ｂｉｔデータとして記憶したメモリ（音声記憶回路）１２と、メモリ１２から出力されるデジタル信号をアナログ信号に変換するＤＡ変換器１３と、ＤＡ変換器１３の出力信号の低周波成分を減衰させる抵抗１４とコンデンサ１５からなるハイパスフィルタと、高周波成分を減衰させる抵抗１６とコンデンサ１７からなるローパスフィルタとで構成されたフィルタ回路１８と、フィルタ回路１８の出力電圧を所定の倍率で増幅するオペアンプ（増幅回路）１９で構成している。
【００２５】
直流成分カット用のコンデンサ２０は、スピーカ１０に直流電圧が印加しないようにしている。
【００２６】
抵抗２１は誘導起電圧保護手段を構成している。この抵抗２１はスピーカ１１の一方の入力端子とグランド電位間に接続している。なお、抵抗２１はオペアンプ１９の出力端子とグランド電位間に接続しても同様の効果となる。
【００２７】
駆動手段２２は、本実施の形態では、ＰＮＰトランジスタとＮＰＮトランジスタからなるプッシュプル回路で構成しおり、制御手段９のオンオフ信号を受けてインバータ回路２を構成するＩＧＢＴをオンオフする。
【００２８】
第一の直流電源２３は、スイッチング電源で構成し、商用電源６を整流した電圧を約２０Ｖの直流電源に変換している。第一の直流電源２３の出力電圧２０ＶはＩＧＢＴをオンするために必要な電圧で、駆動手段２２を介してＩＧＢＴに供給され、ＩＧＢＴはオンする。第二の直流電源２４は、ＮＰＮトランジスタとツェナーダイオードなどから構成している。第二の直流電源２４の電圧は約５Ｖで制御手段９を構成するマイクロコンピュータ、音声出力手段１１を構成するメモリ１２、ＤＡ変換器１３の電源となる。第三の直流電源２５は、第二の直流電源２４と同じ構成になっており、出力電圧は約１０Ｖとなっている。第三の直流電源２５は音声出力手段１１を構成するオペアンプ１９に電力を供給している。
【００２９】
電子スイッチ２６は、本実施の形態では、ＰＮＰトランジスタとＮＰＮトランジスタで構成しており、制御手段９の信号を受けてオンオフし、第三の直流電源２５に電力を供給したり、停止したりする。
【００３０】
つぎに、図２に示すように、炊飯器本体３１には、その上面を覆う蓋３２を開閉自在に設置している。炊飯器本体３１の収納部３３は、その底部に加熱コイル１を配設し、加熱コイル１の外周側にフェライトコア３４を配設する。加熱コイル１は鍋３５の底部の中心の略真下に中心を有する巻線である。鍋３５は、ステンレス、鉄、銅などの磁性体によって形成している。この鍋３５は、上端開口部に外側にせり出したフランジを有し、フランジを収納部３３の上端から浮き上がった状態で載置することにより、収納部３３に着脱自在に収納される。したがって、鍋３５は収納時に収納部３３との間に隙間を有する。
【００３１】
蓋３２には着脱自在な蓋加熱板３６を設定している。蓋加熱板３６はステンレスなどの金属で形成されている。蓋加熱コイル３７（図１には図示せず）は蓋３２に内蔵し、蓋加熱板３６を誘導加熱する。
【００３２】
第一の回路基板３８は、入力手段７を構成するスイッチ、表示手段８を構成するＬＣＤ、ＬＥＤ、制御手段９を構成するマイクロコンピュータ、音声出力手段１１、抵抗２１などを実装している。第二の回路基板３９は、インバータ回路２を構成する部品や、ダイオードブリッジ３、チョークコイル４、コンデンサ５などを実装している。第一の回路基板３８と第二の回路基板３９は、特に図示しないが、リード線で電気的に接続しており、図１に示した回路構成を実現している。巻き取り式の電源コード収納部４０は、第二の回路基板３９にリード線を介して電気的に接続している。この電源コード収納部４０はストッパーとばねを用いて電源コードを巻き取ることを可能にしている。
【００３３】
温度検知手段４１は、鍋３５の温度を検知するもので、サーミスタで構成し、鍋３５の底部の略中心に配置している。サーミスタは温度で抵抗値が変わるので、このサーミスタと所定の抵抗値を有する抵抗で分圧回路を構成し、所定の電圧をこの分圧回路の両端に供給することで、サーミスタの抵抗値をアナログ電圧に変換できる。図１に示した制御手段９を構成するマイクロコンピュータは、内蔵されたＡＤ変換器を用いてこのアナログ電圧から温度を推定する。
【００３４】
スピーカ１０は、図２に示すように、炊飯器本体３１と加熱コイル１の間にできる隙間を利用して配置し、加熱コイル１の下にスピーカ１０の出力面を下向きに配置している。なお、スピーカ１０の向きや配置場所については、特に限定するものではなく、スピーカ１０の出力面を上向きにしてもよいし、スペースがあるのであれば、蓋３２に配置してもかまわない。
【００３５】
上記構成において図３を参照しながら動作、作用を説明する。図３は本実施の形態における誘導加熱炊飯器の主要部動作波形を示し、（１）は加熱コイル１の電流波形、（２）はオペアンプ１９の出力端子の電圧波形、（３）は抵抗２１をはずしたときのオペアンプ１９の出力端子の電圧波形を示している。
【００３６】
まず、使用者が第一の回路基板３８に備えられたスイッチ（入力手段７）を操作すると、押したスイッチの内容に応じて、制御手段９が電子スイッチ２６をオンし、第三の直流電源２５を起動し、オペアンプ１９へ電源を供給する。その後、制御手段９はメモリ１２に所定の音声データを出力するように信号を送信する。その後、インバータ回路２をオンし、ファン（図示せず）を駆動する。メモリ１２は制御手段９からの送信データに基づいて、所定の音声のデジタルデータをＤＡ変換器１３に出力し、ＤＡ変換器１３がアナログ信号に変換する。このアナログ信号はフィルタ回路１８を介してオペアンプ１９に入力され、オペアンプ１９により電圧を増幅しスピーカ１０を駆動する。スピーカ１０はオペアンプ１９の信号がコンデンサ２０を介して入力されると振動し、この振動が音声となって、使用者に音声報知する。音声報知が終了すると、制御手段９は電子スイッチ２６をオフし第三の直流電源２５への電力供給を停止することで、オペアンプ１９の電源をオフする。この間、制御手段９はインバータ回路２を制御して加熱コイル１に高周波電流を供給し、所定の加熱シーケンスに従って鍋３５を加熱する。
【００３７】
加熱コイル１に高周波電流を流すと、加熱コイル１から高周波磁界が発生する。この高周波磁界の殆どが鍋３５の表面の渦電流となって消費されるが、消費されない分は漏れ磁界となってスピーカ１０の巻線に誘導起電圧を発生させる。
【００３８】
この誘導起電圧は抵抗などにより電流を流さないと消費されないので、大きな値となる。一方、オペアンプ１９の出力端子は電源をオフすると、ハイインピーダンス状態となり、出力端子の電位が不安定になる。この二つの条件が重なると、図３（３）に示すように、オペアンプ１９内部の保護ダイオードでクランプされるぐらいの電圧がオペアンプ１９の出力端子に印加されてしまう。この保護ダイオードに電流が常時流れるような状態が続くと、この保護ダイオードが発熱、破壊し、オペアンプ１９が動作しなくなる。
【００３９】
そこで、抵抗２１をオペアンプ１９の出力端子とスピーカ１０の信号経路とグランド電位間に配置すると、抵抗２１に電流が流れ、スピーカ１０の誘導起電圧が図３（２）のように小さくなり、オペアンプ１９の保護ダイオードに電流が流れ込まなくなり、オペアンプ１９の破壊を抑えることができる。なお、誘導起電圧は抵抗２１の抵抗値が小さいほど小さくなるが、音声を出力するときに抵抗２１に流れる電流も増えるので、オペアンプ１９や第三の直流電源２５に負担がかかる。そこで、抵抗２１の抵抗値はスピーカ１０のインピーダンスの２０倍から４０倍程度にし、オペアンプ１９や第三の直流電源２５への影響を抑える注意が必要である。
【００４０】
以上のように、本実施の形態においては、加熱コイル１に高周波電流が流れているとき、スピーカ１０と音声出力手段１１の信号経路にスピーカ１０に発生する誘導起電圧を低減する誘導起電圧保護手段を構成する抵抗２１を有しているので、スピーカ１０の巻線に発生する誘導起電圧を抵抗２１により小さくすることができ、音声出力手段１１の電源がオフのときにも誘導起電圧が音声出力手段１１の出力端子の最大電圧定格をこえることや、この出力端子に設けられた保護ダイオードを通して音声出力手段１１に電流が流れ込むことがなくなり、音声出力手段１１が破壊するのを防止することができる。また、音声を出力しないときは音声出力手段１１の電源をオフしているので、加熱コイル１に高周波電流が流れ高周波磁界が発生したときでも、この高周波磁界によるノイズ波形が音声出力手段１１に重畳し、スピーカ１０からノイズ音が発生することがない。したがって、安全で、コンパクトで、省エネルギを実現でき、かつ操作などのわかりやすい炊飯器を提供できる。
【００４１】
また、誘導起電圧保護手段は、スピーカ１０と音声出力手段１１の信号経路とグランド電位間に接続した抵抗２１で構成したので、スピーカ１０の巻線に発生する誘導起電圧を抵抗２１で消費させることができてスピーカ１０の誘導起電圧を低減することができる。さらに、この誘導起電圧を低減させるためにスピーカ１０の巻線と抵抗に電流が流れることになるが、この電流も抵抗で制限できるので、スピーカ１０の巻線の発熱も抑えることができる。したがって、スピーカ１０の発熱も小さく、抵抗という安価な部品で誘導起電圧を低減できるので、低コストで信頼性の高いコンパクトな炊飯器を提供できる。
【００４２】
なお、本実施の形態では、音声出力手段１１を、音声データを記憶したメモリ１２、フィルタ回路１８、オペアンプ１９で構成しているが、これらを一つのＩＣに集積化すると、実装面積が小さくなり、コンパクトな炊飯器を提供できる。
【００４３】
また、本実施の形態では、誘導起電圧保護手段を抵抗２１で構成しているが、これと並列にコンデンサを接続すると、特に高周波成分を除去することができるので、高周波電流による誘導起電圧を確実に抑えることができる。ただし、コンデンサの容量を大きくしすぎると、音声信号が歪み、使用者に不快感をあたえることもあるので、直流カット用のコンデンサ２０に比べ、十分に小さくすることが望ましい。
【００４４】
（実施の形態２）
図４は、本発明の実施の形態２における誘導加熱式炊飯器の一部ブロック化した要部回路図を示すものである。
【００４５】
図４に示すように、第１のダイオード５１は、誘導起電圧保護手段を構成するもので、アノードをスピーカ１０とアンプ１９の信号経路に接続し、カソードを第三の直流電源２５の出力端子に接続している。なお、第１のダイオード５１の順方向電圧ＶＦは、オペアンプ１９の内部に設けた保護ダイオードの順方向電圧ＶＦよりも小さくなるようにしている。他の構成は上記実施の形態１と同じであり、同一符号を付して説明を省略する。
【００４６】
上記構成において図５を参照しながら動作、作用を説明する。図５は本実施の形態における誘導加熱炊飯器の主要部動作波形を示し、（１）は加熱コイル１の電流波形、（２）はオペアンプ１９の出力端子の電圧波形、（３）は第１のダイオード５１をはずしたときの電圧波形を示している。
【００４７】
まず、使用者が第１の回路基板３８に備えられたスイッチ（入力手段７）を操作すると、押したスイッチの内容に応じて、制御手段９が電子スイッチ２６をオンし、第三の直流電源２５を起動し、オペアンプ１９へ電源を供給する。その後、制御手段９はメモリ１２に所定の音声データを出力するように信号を送信する。その後、インバータ回路２をオンし、ファン（図示せず）を駆動する。メモリ１２は制御手段９からの送信データに基づいて、所定の音声のデジタルデータをＤＡ変換器１３に出力し、ＤＡ変換器１３がアナログ信号に変換する。このアナログ信号はフィルタ回路１８を介してオペアンプ１９に入力され、オペアンプ１９により電圧を増幅しスピーカ１０を駆動する。スピーカ１０はオペアンプ１９の信号がコンデンサ２０を介して入力されると振動し、この振動が音声となって、使用者に音声報知する。音声報知が終了すると、制御手段９は電子スイッチ２６をオフし第三の直流電源２５への電力供給を停止することで、オペアンプ１９の電源をオフする。この間、制御手段９はインバータ回路２を制御して加熱コイル１に高周波電流を供給し、所定の加熱シーケンスに従って鍋３５を加熱する。
【００４８】
加熱コイル１に高周波電流を流すと、加熱コイル１から高周波磁界が発生する。この高周波磁界の殆どが鍋３５の表面の渦電流となって消費されるが、消費されない分は漏れ磁界となってスピーカ１０の巻線に誘導起電圧を発生させる。
【００４９】
この誘導起電圧は抵抗などにより電流を流さないと消費されないので、大きな値となる。一方、オペアンプ１９の出力端子は電源をオフすると、ハイインピーダンス状態となり、出力端子の電位が不安定になる。この二つの条件が重なると、図５（３）に示すように、オペアンプ１９の内部の保護ダイオードでクランプされるぐらいの電圧がオペアンプ１９の出力端子に印加されてしまう。この保護ダイオードに電流が常時流れるような状態が続くと保護ダイオードが発熱、破壊し、オペアンプ１９が動作しなくなる。
【００５０】
そこで、第１のダイオード５１をオペアンプ１９の出力端子とスピーカ１０の信号経路と第三の直流電源２５の出力端子間に配置すると、第三の直流電源２５がオフのときは第１のダイオード５１のカソードがグランドに接地されるので、第１のダイオード５１に電流が流れ、スピーカ１０の誘導起電圧が図５（２）のように小さくなり、オペアンプ１９の保護ダイオードに電流が流れ込まなくなり、オペアンプ１９の破壊を抑えることができる。
【００５１】
以上のように、本実施の形態においては、誘導起電圧保護手段は、スピーカ１０と音声出力手段１１の信号経路と、音声出力手段１１の電源の高電位間に逆バイアスされるように接続した第１のダイオード５１で構成したので、音声出力手段１１の電源がオフのときでも、音声出力手段１１の出力端子に印加される電圧が第１のダイオード５１の順電圧以上になると、第１のダイオード５１がオンして音声出力手段１１に印加される誘導起電圧をクランプするので、音声出力手段１１の出力端子の最大電圧定格を超えることや、この出力端子に設けられた保護ダイオードへの電流の流れ込みを抑えることとなり、破壊のない安全な誘導加熱式炊飯器を提供できる。また、音声出力手段１１が音声を出力するときは、第１のダイオードは逆バイアスされているので、消費電流の増加がなくなり、省電力化を実現できる。
【００５２】
（実施の形態３）
図６は、本発明の実施の形態３における誘導加熱式炊飯器の一部ブロック化した要部回路図を示すものである。
【００５３】
図６に示すように、第２のダイオード５２は、誘導起電圧保護手段を構成するもので、アノードをグランド電位に接続し、カソードをスピーカ１０とオペアンプ１９の信号経路に接続している。なお、第２のダイオード５２の順方向電圧ＶＦは、オペアンプ１９の内部に設けた保護ダイオードの順方向電圧ＶＦよりも小さくなるようにしている。他の構成は上記実施の形態２と同じであり、同一符号を付して説明を省略する。
【００５４】
上記構成において図７を参照しながら動作、作用を説明する。図７は本実施の形態における誘導加熱炊飯器の主要部動作波形を示し、（１）は加熱コイル１の電流波形、（２）はオペアンプ１９の出力端子の電圧波形、（３）は第１のダイオード５１と第２のダイオード５２をはずしたときの電圧波形を示している。
【００５５】
まず、使用者が第１の回路基板３８に備えられたスイッチ（入力手段７）を操作すると、押したスイッチの内容に応じて、制御手段９が電子スイッチ２６をオンし、第三の直流電源２５を起動し、オペアンプ１９へ電源を供給する。その後、制御手段９はメモリ１２に所定の音声データを出力するように信号を送信する。その後、インバータ回路２をオンし、ファン（図示せず）を駆動する。メモリ１２は制御手段９からの送信データに基づいて、所定の音声のデジタルデータをＤＡ変換器１３に出力し、ＤＡ変換器１３がアナログ信号に変換する。このアナログ信号はフィルタ回路１８を介してオペアンプ１９に入力され、オペアンプ１９により電圧を増幅しスピーカ１０を駆動する。スピーカ１０はオペアンプ１９の信号がコンデンサ２０を介して入力されると振動し、この振動が音声となって、使用者に音声報知する。音声報知が終了すると、制御手段９は電子スイッチ２６をオフし第三の直流電源２５への電力供給を停止することで、オペアンプ１９の電源をオフする。この間、制御手段９はインバータ回路２を制御して加熱コイル１に高周波電流を供給し、所定の加熱シーケンスに従って鍋３５を加熱する。
【００５６】
加熱コイル１に高周波電流を流すと、加熱コイル１から高周波磁界が発生する。この高周波磁界の殆どが鍋３５の表面の渦電流となって消費されるが、消費されない分は漏れ磁界となってスピーカ１０の巻線に誘導起電圧を発生させる。
【００５７】
この誘導起電圧は抵抗などにより電流を流さないと消費されないので、大きな値となる。一方、オペアンプの出力端子は電源をオフすると、ハイインピーダンス状態となり、出力端子の電位が不安定になる。この二つの条件が重なると、図７（３）に示すように、オペアンプ１９の内部の保護ダイオードでクランプされるぐらいの電圧がオペアンプ１９の出力端子に印加されてしまう。この保護ダイオードに電流が常時流れるような状態が続くと保護ダイオードが発熱、破壊し、オペアンプ１９が動作しなくなる。
【００５８】
そこで、第１のダイオード５１をオペアンプ１９の出力端子とスピーカ１０の信号経路と第三の直流電源２５の出力端子間に配置すると、第三の直流電源２５がオフのときは第１のダイオード５１のカソードがグランドに接地されるので、第１のダイオード５１に電流が流れ、スピーカ１０の誘導起電圧が図７（２）のように小さくなり、オペアンプ１９の保護ダイオードに電流が流れ込まなくなり、オペアンプ１９の破壊を抑えることができる。
【００５９】
また、グランド電位より低い電圧についても第２のダイオード５２によりクランプするので、オペアンプ１９の保護ダイオードに電流が流れ込まなくなり、オペアンプ１９の破壊を抑えることができる。
【００６０】
以上のように、本実施の形態においては、誘導起電圧保護手段は、スピーカ１０と音声出力手段１１の信号経路と、グランド電位間に逆バイアスされるように接続した第２のダイオード５２で構成したので、スピーカ１０の巻線にマイナスの誘導起電圧が発生しても、第２のダイオード５２の順電圧で、第２のダイオード５２がスピーカ１０の巻線の誘導起電圧をクランプするので、音声出力手段１１の出力端子の最大電圧定格を超えることや、この出力端子に設けられた保護ダイオードへの電流の流れ込みを抑えることとなり、破壊のない安全な誘導加熱式炊飯器を提供できる。また、音声出力手段１１が音声を出力するときは、第２のダイオード５２は逆バイアスされるので、消費電流の増加がなくなり、省電力化を実現できる。
【００６１】
（実施の形態４）
図８は、本発明の実施の形態４における誘導加熱式炊飯器の一部ブロック化した要部回路図を示すものである。
【００６２】
図８に示すように、音声出力手段９２１、音声データを４ｂｉｔデータとして記憶したメモリ（音声記憶回路）１２と、メモリ１２から出力されるデジタル信号をアナログ信号に変換するＤＡ変換器１３と、ＤＡ変換器１３の出力信号の低周波成分を減衰させる抵抗８１とコンデンサ８２からなるハイパスフィルタ９３と、高周波成分を減衰させる抵抗８３とコンデンサ８４からなるローパスフィルタ９４で構成されたフィルタ回路と、フィルタ回路の出力電圧を増幅する増幅回路で構成し、音声を出力しないときは増幅回路への電源供給を停止するようにしている。
【００６３】
ここで、増幅回路は、第１の増幅回路と第２の増幅回路で構成し、第１の増幅回路は、オペアンプ８５とハイパスフィルタ９３とローパスフィルタ９４とで構成し、ＤＡ変換器１３の出力の低周波成分を減衰させるとともに、その他の周波数帯の信号を反転増幅している。この第１の増幅回路の増幅率は、抵抗８１に対する抵抗８３の比率で決定され、本実施の形態では、抵抗８１と抵抗８３の比率を１にし、第１の増幅回路の増幅率を１にしている。比率を１にすることにより、ＤＡ変換器１３からのノイズ成分が増幅されずに済み、例えば、音声と音声の間の無音期間中にスピーカ１０からのノイズ音を小さくすることができる。さらに、音声と音声の間の無音期間中に違法電波などの外来ノイズが来ても比率を小さくしているので、スピーカ１０からのノイズ音を抑えることができる。
【００６４】
第２の増幅回路は、オペアンプ８６と抵抗８７と抵抗８８とで構成し、第１の増幅回路の出力を反転増幅している。この第２の増幅回路の増幅率は、抵抗８７と抵抗８８の比率で決定され、本実施の形態では、抵抗８７と抵抗８８の比率を１にし、第１の増幅回路と同様に増幅率を１にし、第１の増幅回路の出力を反転増幅するようにしている。
【００６５】
オペアンプ８５の出力端子は直流成分カット用のコンデンサ２０を介してスピーカ１０の一方の端子に接続している。オペアンプ８６の出力端子はスピーカ１０の他方の端子に接続している。抵抗８９はオペアンプ８５の出力端子とグランド電位に接続し、オペアンプ８５の電源がオフのときに抵抗９０はオペアンプ８６の出力端子とグランド電位に接続している。抵抗８９と抵抗９０の効果は、上記実施の形態１で説明した通り、スピーカ１０の巻線に発生する誘導起電圧を低減することである。９１はオペアンプ８５、８６の基準電圧で、抵抗分圧回路で構成されている。
【００６６】
音声出力手段９２を構成するメモリ（音声記憶回路）１２、ＤＡ変換器１３の電源は第三の直流電源９３より供給している。他の構成は上記実施の形態１と同じであり、同一符号を付して説明を省略する。
【００６７】
上記構成において動作、作用を説明する。ＤＡ変換器１３の出力信号の低周波成分をハイパスフィルタ９３で減衰し、高周波成分をローパスフィルタ９４で減衰しているので、ＤＡ変換時の音声信号の波形の歪や音声のこもり感を低減でき、クリアな音声を出力することができる。スピーカ１０に信号出力する前にハイパスフィルタ９３とローパスフィルタ９４で信号を減衰するので、スピーカ１０のインピーダンスの影響を受けることがない。したがって、精度の高いフィルタ特性を得ることができ、音質のばらつきを抑えることができる。オペアンプはＤＡ変換器よりも出力電力の最大値を大きくできるので、スピーカ１０の音量を大きくすることができ、耳の悪い使用者や調理中の騒音がある状態でも音声を聞き取ることができる。音声を出力しないときは第１の増幅回路を構成するオペアンプ８５と第２の増幅回路を構成するオペアンプ８６への電源供給を停止するので、加熱コイル１から発生する高周波磁界がノイズとなってＤＡ変喚器１３の出力信号やハイパスフィルタ９３やローパスフィルタ９４の信号に重畳しても、オペアンプ８５、８６からスピーカ１０への電力供給がないので、スピーカ１０からノイズ音となって出力されることがない。
【００６８】
また、２つのオペアンプ８５、８６を用いて、反転増幅をすることで、オペアンプ８５、８６の電源電圧と殆ど同じ電圧をスピーカ１０に印加することが可能となるので、オペアンプ８５、８６の電源電圧を下げて、メモリ１２、ＤＡ変換器１３の電源電圧と同じにすることができる。したがって、音声出力手段９２を構成する部品の電源をすべてオフすることができるので、省電力化を実現できる。また、２つのオペアンプ８５、８６の出力電圧の立ち上がりが殆ど同じになるので、スピーカ１０にオペアンプ８５、８６の電源がオンしたときのノイズ音が印加されることがなくなり、使用者に不快感を与えることがない。
【００６９】
また、オペアンプ８５とハイパスフィルタ９３とローパスフィルタ９４とで第１の増幅回路を構成しているので、フィルタ回路部分の部品を減らすことができ、コンパクトな音声出力手段を構成することができる。
【００７０】
このように、本実施の形態では、２つのオペアンプ８５、８６を用いて電源電圧と殆ど同じ電圧を出力できるようにすることで、音声出力手段９２を構成する部品の電源を一つ共通化し、オンオフすることができる。これにより、音声を出力しないときの省電力化が実現できる。また、抵抗によりスピーカ巻線に発生する誘導起電圧を低減するので、電源をオフしても音声出力手段を破壊することがない高信頼性を得ることができる。
【００７１】
以上のように、本実施の形態においては、音声出力手段９２を予め記憶した音声データを信号として出力するメモリ１２と、メモリ１２のデジタル信号をアナログ信号に変換するＤＡ変換器１３と、ＤＡ変換器１３の出力信号の低周波成分を減衰させるハイパスフィルタ９３と、ＤＡ変換器１３の出力信号の高周波成分を減衰させるローパスフィルタ９４と、オペアンプ８５とオペアンプ８６からなる増幅回路で構成し、音声を出力しないときはオペアンプ８５とオペアンプ８６への電源供給を停止するようにしている。まず、ハイパスフィルタ９３とローパスフィルタ９４があるので、音声出力中のノイズ音を低減でき、使用者の不快感を低減することができる。また、オペアンプ８５、８６によりスピーカ１０への入力電力を大きくするので、スピーカ１０の音量を大きくすることができ、耳の悪い人でも聞くことができ、また、調理中の騒音がある状態でも音声を聞き取ることができる。また、音声を出力しないときはオペアンプ８５、８６からなる増幅回路の電源をオフするので、加熱コイル１からの高周波磁界によるノイズがＤＡ変喚器１３の出力信号やハイパスフィルタ９３の出力信号やローパスフィルタ９４の出力信号に重畳しても、オペアンプ８５、８６からスピーカ１０への電力を供給しないので、スピーカ１０からノイズ音となって出力されることがない。また、音声を出力しないときは電源回路の電源をオフするので省電力化を実現できる。
【００７２】
また、増幅回路は第１の増幅回路と第２の増幅回路とで構成し、スピーカ１０は一方の端子を第１の増幅回路の出力に接続し、他方の端子を第２の増幅回路の出力に接続し、第１の増幅回路の出力信号と第２の増幅回路の出力信号は互い反転するようにしたので、第１の増幅回路と第２の増幅回路の電源電圧と殆ど同じ電圧をスピーカ１０に印加できるので、電源電圧を低くしても十分な音量を確保できることとなり、耳の悪い使用者や調理中の騒音の中でも、音声を聞き取ることができる。また、増幅回路の電源電圧を低くすることで、メモリ１２の電源電圧と増幅回路の電源電圧を同一電源にすることも可能になり、音声を出力しないときはメモリ１２と増幅回路の電源をオフできるので、省エネルギを実現できる。
【００７３】
また、増幅回路の増幅率は１以下であるので、音声出力中もしくは次の音声が出力されるまでの無音期間中に、違法電波などの外来ノイズが来ても、スピーカ１０からのノイズ音を抑えることができ、使用者の不快感をなくすることができる。
【００７４】
（実施の形態５）
図９は、本発明の実施の形態５における誘導加熱式炊飯器の一部ブロック化した要部回路図を示すものである。
【００７５】
図９に示すように、ダイオード１０１はスピーカ１０とオペアンプ８５の信号経路とグランド電位に逆バイアスされるように接続している。ダイオード１０２はスピーカ１０とオペアンプ８５の信号経路と第三の直流電源９３に逆バイアスされるように接続している。ダイオード１０３はスピーカ１０とオペアンプ８６の信号経路とグランド電位に逆バイアスされるように接続している。ダイオード１０４はスピーカ１０とオペアンプ８６の信号経路と第三の直流電源９３に逆バイアスされるように接続されている。他の構成は上記実施の形態４と同じであり、同一符号を付して説明を省略する。
【００７６】
このように、ダイオード１０１、１０２、１０３、１０４を接続することにより、第三の直流電源９３をオフしたときでも、スピーカ１０の巻線に発生する誘導起電圧をクランプすることができるので、オペアンプ８５、８６の破壊を防ぐことができる。
【００７７】
（実施の形態６）
図１０は、本発明の実施の形態６における誘導加熱式炊飯器の一部ブロック化した要部回路図を示すものである。
【００７８】
図１０に示すように、音声出力手段１１１は周波数特性が異なる複数のフィルタ回路、すなわち、第１のローパスフィルタ１１４と第２のローパスフィルタ１１８を有し、使用者が入力した設定に基づいて任意のフィルタ回路を設定するようにしている。すなわち、抵抗１１２とコンデンサ１１３は第１のローパスフィルタ１１４を構成し、ＮＰＮトランジスタなどで構成したスイッチング素子１１５によりオンオフするようにしている。抵抗１１６とコンデンサ１１７は第２のローパスフィルタ１１８を構成し、ＮＰＮトランジスタなどで構成したスイッチング素子１１９によりオンオフするようにしている。第１のローパスフィルタ１１４の遮断周波数は第２のローパスフィルタ１１８の遮断周波数より高くしている。制御手段１２０は使用者が入力手段で所定の音質（低音または高音）を選択すると、選択内容に応じて所定のローパスフィルタをオンするようにしている。他の構成は上記実施の形態１と同じであり、同一符号を付して説明を省略する。
【００７９】
上記構成において動作、作用を説明する。初期設定では、調理中の台所を想定し、多少うるさい場所でも音声が通るように、遮断周波数を高くした第１のローパスフィルタ１１４が選択されている。しかし、例えば、炊飯器を使用している場所が比較的静かな場所だと、音声の高音部分が耳障りになるときがある。そのような場合、使用者は入力手段７で音質を低音に選択する。すると制御手段１２０がスイッチング素子１１５をオフし、第１のローパスフィルタ１１４をオフするとともに、スイッチング素子１１９をオンし、第２のローパスフィルタ１１８をオンする。
【００８０】
第２のローパスフィルタ１１８の遮断周波数は、第１のローパスフィルタ１１４より低いので、高周波成分が除去され、高音部分の音量が低減し、使用者の不快感を低減することができる。
【００８１】
使用環境以外にも、使用者の年齢により、聞きやすさが異なる。例えば、本実施の形態では、高齢者でも聞きやすいように、遮断周波数を高くし、高音の音量を大きくしているが、若年者の場合、この高音が耳障りになるときがある。この場合にも、使用者が入力手段７で音質を低音に選択すると、第２のローパスフィルタ１１８が選択され、耳障りな高音の音量を低減することができる。
【００８２】
以上のように、本実施の形態においては、音声出力手段１１１は周波数特性が異なる複数のフィルタ回路、すなわち、第１のローパスフィルタ１１４と第２のローパスフィルタ１１８を有し、使用者が入力した設定に基づいて任意のフィルタ回路を設定するようにしたので、高音側と低音側に切り替えることで、使用環境、年齢に対応した快適で聞きやすい、使用者の好みの音質で音声を出力することができる。
【００８３】
なお、本実施の形態では、第１のローパスフィルタ１１４と第２のローパスフィルタ１１８との２つのフィルタ回路としたが、２つに限定するものではない。また、音声出力手段１１１のメモリ１２に音質の異なる音声データを予め記憶しておき、使用者が好きな音質を選択できるようにしてもよい。
【００８４】
（実施の形態７）
図１に示す制御手段９と音声出力手段１１との通信はインバータ回路２の動作停止時に行うようにしている。他の構成は上記実施の形態１と同じである。
【００８５】
上記構成において図１１を参照しながら動作、作用を説明する。図１１は本実施の形態における誘導加熱炊飯器の動作タイムチャートを示し、（１）は商用電源６の電圧波形、（２）は商用電源６の０Ｖに同期してハイまたはローを出力する波形、（３）は電子スイッチ２６のオン、オフを示す図、（４）は第三の直流電源２５の出力電圧波形、（５）は制御手段９からメモリ１２への送信信号波形、（６）はスピーカ１０の入力電圧、（７）はインバータ回路２のオンオフ状態を示している。
【００８６】
まず、使用者が第一の回路基板３８（図２参照）に備えたスイッチ（入力手段７）を操作すると、制御手段９に入力手段７の信号が入力される。すると、図１１のＴ０では、制御手段９は商用電源６のゼロ電圧に同期して電子スイッチ２６をオン状態にし、第三の直流電源２５を起動し、オペアンプ１９へ直流電圧を供給する。このとき、第三の直流電源２５の出力電圧が変動するため、オペアンプ１９の出力電圧が変動し、この出力電圧の変動がコンデンサ２０を介してスピーカ１０に印加され、ノイズ音となって出力されることがある。ただし、このノイズ音は第三の直流電源２５の出力電圧の立ち上がり速度をゆっくりにすることで低減することができる。
【００８７】
その後、図１１のＴ１で、制御手段９は再び商用電源６のゼロ電圧に同期してメモリ１２に音量設定データを送信する。その後、図１１のＴ２で、制御手段９は商用電源６のゼロ電圧に同期して所定の音声データを示したアドレスデータをメモリ１２に送信する。すると、図１１のＴ３で、メモリ１２が制御手段９からの送信データに基づいて、所定の音声のデジタルデータをＤＡ変換器１３に出力し、ＤＡ変換器１３がアナログ電圧に変換された音声信号を出力し、フィルタ回路１８、オペアンプ１９、コンデンサ２０を介してスピーカ１０に音声信号が入力される。スピーカ１０は音声信号が入力されると振動し、この振動が音声となって使用者に音声報知する。このとき、この音声信号の低周波成分と高周波成分はフィルタ回路１８で減衰され、減衰された音声信号がオペアンプ１９で増幅され、増幅された音声信号がコンデンサ２０で直流成分を除去されている。
【００８８】
図１１のＴ４では、入力手段１２で設定されたメニューにしたがって、制御手段９がインバータ回路２のオンオフ制御を開始し、加熱コイル１に高周波電力を供給し、鍋を加熱する。また、本実施の形態では、特に図示していないが、制御手段９は加熱コイル１に高周波電力を供給するのにあわせてファンモータを駆動する。加熱コイル１に電流が流れると、上記実施の形態１で説明したように、誘導起電圧がスピーカ１０に発生するが、この際、オペアンプ１９は電圧を印加されているので、オペアンプ１９内部の保護ダイオードは逆バイアスされることにより、スピーカ１０からオペアンプ１９の出力端子への電流の流れ込みは発生しない。
【００８９】
図１１のＴ６で音声出力が終了する。図１１のＴ６で、制御手段９が電子スイッチ２６を遮断し、第三の直流電源２５への電力供給を停止する。第三の直流電源２５への電力供給を停止することで、オペアンプ１９がオフし、オペアンプ１９の出力端子が不安定になるが、抵抗２１を解してグランド電位に安定する。したがって、加熱コイル１に電流が流れ、スピーカ１０に誘導起電圧が発生しても、抵抗２１に電流が流れるので、この誘導起電圧を小さくすることができる。したがって、オペアンプ１９に電流の流れ込みは発生しないので、オペアンプ１９の破壊を防止できる。
【００９０】
また、本実施の形態では、制御手段９は、予め音声データの時間を記憶しているので、その時間から所定時間を経過すると、電子スイッチ２６を遮断するようにしている。電子スイッチ２６の遮断タイミングを音声データの時間より十分遅くするのは、メモリ１２から出力される音声信号の速度にばらつきがあるためである。
【００９１】
以上のように、本実施の形態においては、制御手段９と音声出力手段１１との通信はインバータ回路２の動作停止時に行う、すなわち、インバータ回路２をオンオフ制御する前に、制御手段９が音声出力手段１１を構成するメモリ１２に送信するので、スイッチングノイズや加熱コイル１に流れる高周波電流で送信波形が変動するのを防止でき、音声を出力しないなどの誤動作を防止できる。
【００９２】
また、本実施の形態では、音声を出力しないときに、オペアンプ１９をオフしても、抵抗２１によりスピーカ１０から発生する誘導起電圧を低減できるので、スピーカ１０からオペアンプ１９への電流の流れ込みが発生せず、オペアンプ１９の破壊を防止できる。
【産業上の利用可能性】
【００９３】
以上のように、本発明にかかる誘導加熱式炊飯器は、音声出力手段の電源供給を停止したときに、加熱コイルの磁界によりスピーカに誘導起電圧が発生しても、音声出力手段の破壊を防ぐことができるので、音声報知機能を有する誘導加熱式炊飯器として有用である。
【図面の簡単な説明】
【００９４】
【図１】本発明の実施の形態１の誘導加熱式炊飯器の一部ブロック化した要部回路図
【図２】同誘導加熱式炊飯器の断面図
【図３】（１）同誘導加熱式炊飯器の加熱コイルの電流波形図（２）同誘導加熱式炊飯器のオペアンプの出力端子の電圧波形図（３）同誘導加熱式炊飯器の抵抗をはずしたときの電圧波形図
【図４】本発明の実施の形態２の誘導加熱式炊飯器の一部ブロック化した要部回路図
【図５】（１）同誘導加熱式炊飯器の加熱コイルの電流波形図（２）同誘導加熱式炊飯器のオペアンプの出力端子の電圧波形図（３）同誘導加熱式炊飯器の第１のダイオードをはずしたときの電圧波形図
【図６】本発明の実施の形態３の誘導加熱式炊飯器の一部ブロック化した要部回路図
【図７】（１）同誘導加熱式炊飯器の加熱コイルの電流波形図（２）同誘導加熱式炊飯器のオペアンプの出力端子の電圧波形図（３）同誘導加熱式炊飯器の第１のダイオードと第２のダイオードをはずしたときの電圧波形図
【図８】本発明の実施の形態４の誘導加熱式炊飯器の一部ブロック化した要部回路図
【図９】本発明の実施の形態５の誘導加熱式炊飯器の一部ブロック化した要部回路図
【図１０】本発明の実施の形態６の誘導加熱式炊飯器の一部ブロック化した要部回路図
【図１１】本発明の実施の形態７の誘導加熱式炊飯器の動作タイムチャート
【符号の説明】
【００９５】
１  加熱コイル
２  インバータ回路
９  制御手段
１０  スピーカ
１１  音声出力手段
２１  抵抗（誘導起電圧保護手段）
３５  鍋
【図１】
2007325812.tif 000003
【図２】
2007325812.tif 000004
【図３】
2007325812.tif 000005
【図４】
2007325812.tif 000006
【図５】
2007325812.tif 000007
【図６】
2007325812.tif 000008
【図７】
2007325812.tif 000009
【図８】
2007325812.tif 000010
【図９】
2007325812.tif 000011
【図１０】
2007325812.tif 000012
【図１１】
2007325812.tif 000013